(57)【要約】【課題】より需要者（利用者）の注意を惹きつけるデザインを有する写真プリント、写真プリントの製造装置、および、写真プリント作成方法を提供する。【解決手段】利用者を撮影した撮影画像を含む印刷画像が写真プリント用紙に印刷された写真プリントであって、印刷画像は、撮影画像が印刷される区画を複数有し、区画１１１，１１２は円形であり、写真プリント用紙に印刷される撮影画像は、全て円形の上記区画１１１，１１２の内部にのみ印刷されている。【選択図】図５
2016058954.tif 000002
【特許請求の範囲】
【請求項１】
利用者を撮影した撮影画像を含む印刷画像が写真プリント用紙に印刷された写真プリントであって、
前記印刷画像は、前記撮影画像が印刷される区画を複数有し、
前記区画は円形であり、
前記写真プリント用紙に印刷される前記撮影画像は、全て円形の前記区画の内部にのみ印刷されている、
写真プリント。
【請求項２】
前記区画は、
大きい円形の区画と、
前記大きい円形の区画よりも半径が小さい円形の区画と、
を含む、請求項１に記載の写真プリント。
【発明の詳細な説明】
【技術分野】
【０００１】
この発明は、写真プリントに関する。
【背景技術】
【０００２】
写真撮影ブースにおいて、利用者が自らを含む被写体を撮影し、撮影された画像に好みのフレーム、おえかきと称する文字図柄の描画、背景を画像合成し、合成画像をシールプリントとして印刷出力する写真プリント作成装置（写真撮影ブース付きプリント自動販売機）が知られている。このような、写真プリント、写真プリントの製造装置、および、写真プリント作成方法は、たとえば、特開２００３−０６１０１６号公報（特許文献１）および特開２０１０−１７７９８７号公報（特許文献２）に開示されている。
【先行技術文献】
【特許文献】
【０００３】
【特許文献１】特開２００３−０６１０１６号公報
【特許文献２】特開２０１０−１７７９８７号公報
【発明の概要】
【発明が解決しようとする課題】
【０００４】
上記特許文献１および特許文献２においては、写真プリント作成装置で作成された写真プリントは、撮影した複数の利用者で分けることが想定されていることから、印刷された矩形形状の印刷画像の区画に沿って切り取り易くするように、印刷画像は規則正しく配置されている。
【０００５】
しかし、近年は、写真プリントへの印刷のデザイン性の向上が重要となってきている。
したがって、本発明の目的は、より需要者（利用者）の注意を惹きつけるデザインを有する写真プリント、写真プリントの製造装置、および、写真プリント作成方法を提供することにある。
【課題を解決するための手段】
【０００６】
この発明に基づいた写真プリントにおいては、利用者を撮影した撮影画像を含む印刷画像が写真プリント用紙に印刷された写真プリントであって、上記印刷画像は、上記撮影画像が印刷される区画を複数有し、上記区画は円形であり、上記写真プリント用紙に印刷される上記撮影画像は、全て円形の上記区画の内部にのみ印刷されている。
【発明の効果】
【０００７】
この発明によれば、より需要者（利用者）の注意を惹きつけるデザインを有する写真プリント、写真プリントの製造装置、および、写真プリント作成方法を提供することを可能にする。
【図面の簡単な説明】
【０００８】
【図１】実施の形態における写真プリント作成装置を示す第１斜視図である。
【図２】実施の形態における写真プリント作成装置を示す第２斜視図である。
【図３】実施の形態における写真プリント作成装置の機能ブロックを示す図である。
【図４】実施の形態における写真プリント作成装置における作成方法の全体フローを示す図である。
【図５】実施例１における写真プリント用紙の印刷画像が印刷される予定の区画を示す図であり、（Ａ）は平面図、（Ｂ）は正面図、（Ｃ）は左側面図である。
【図６】実施例１における写真プリント用紙の各区画に撮影画像をはめ込んだ、実際の印刷画像が印刷された写真プリントの状態を示す図である。
【図７】実施例２における写真プリント用紙の印刷画像が印刷される予定の区画を示す図であり、（Ａ）は平面図、（Ｂ）は正面図、（Ｃ）は左側面図である。
【図８】実施例２における写真プリント用紙の各区画に撮影画像をはめ込んだ、実際の印刷画像が印刷された写真プリントの状態を示す図である。
【図９】実施例３における写真プリント用紙の印刷画像が印刷される予定の区画を示す図であり、（Ａ）は平面図、（Ｂ）は正面図、（Ｃ）は左側面図である。
【図１０】実施例３における写真プリント用紙の各区画に撮影画像をはめ込んだ、実際の印刷画像が印刷された写真プリントの状態を示す図である。
【図１１】実施例４における写真プリント用紙の印刷画像が印刷される予定の区画を示す図であり、（Ａ）は平面図、（Ｂ）は正面図、（Ｃ）は左側面図である。
【図１２】実施例４における写真プリント用紙の各区画に撮影画像をはめ込んだ、実際の印刷画像が印刷された写真プリントの状態を示す図である。
【図１３】実施例５における写真プリント用紙の印刷画像が印刷される予定の区画を示す図であり、（Ａ）は平面図、（Ｂ）は正面図、（Ｃ）は左側面図である。
【図１４】実施例５における写真プリント用紙の各区画に撮影画像をはめ込んだ、実際の印刷画像が印刷された写真プリントの状態を示す図である。
【図１５】実施例６における写真プリント用紙の印刷画像が印刷される予定の区画を示す図であり、（Ａ）は平面図、（Ｂ）は正面図、（Ｃ）は左側面図である。
【図１６】実施例６における写真プリント用紙の各区画に撮影画像をはめ込んだ、実際の印刷画像が印刷された写真プリントの状態を示す図である。
【図１７】実施例７における写真プリント用紙の印刷画像が印刷される予定の区画を示す図であり、（Ａ）は平面図、（Ｂ）は正面図、（Ｃ）は左側面図である。
【図１８】実施例７における写真プリント用紙の各区画に撮影画像をはめ込んだ、実際の印刷画像が印刷された写真プリントの状態を示す図である。
【図１９】実施例８における写真プリント用紙の印刷画像が印刷される予定の区画を示す図であり、（Ａ）は平面図、（Ｂ）は正面図、（Ｃ）は左側面図である。
【図２０】実施例８における写真プリント用紙の各区画に撮影画像をはめ込んだ、実際の印刷画像が印刷された写真プリントの状態を示す図である。
【図２１】実施例９における写真プリント用紙の印刷画像が印刷される予定の区画を示す図であり、（Ａ）は平面図、（Ｂ）は正面図、（Ｃ）は左側面図である。
【図２２】実施例９における写真プリント用紙の各区画に撮影画像をはめ込んだ、実際の印刷画像が印刷された写真プリントの状態を示す図である。
【図２３】実施例１０における写真プリント用紙の印刷画像が印刷される予定の区画を示す図であり、（Ａ）は平面図、（Ｂ）は正面図、（Ｃ）は左側面図である。
【図２４】実施例１０における写真プリント用紙の各区画に撮影画像をはめ込んだ、実際の印刷画像が印刷された写真プリントの状態を示す図である。
【図２５】実施例１１における写真プリント用紙の印刷画像が印刷される予定の区画を示す図であり、（Ａ）は平面図、（Ｂ）は正面図、（Ｃ）は左側面図である。
【図２６】実施例１１における写真プリント用紙の各区画に撮影画像をはめ込んだ、実際の印刷画像が印刷された写真プリントの状態を示す図である。
【図２７】実施例１２における写真プリント用紙の印刷画像が印刷される予定の区画を示す図であり、（Ａ）は平面図、（Ｂ）は正面図、（Ｃ）は左側面図である。
【図２８】実施例１２における写真プリント用紙の各区画に撮影画像をはめ込んだ、実際の印刷画像が印刷された写真プリントの状態を示す図である。
【図２９】実施例１３における写真プリント用紙の印刷画像が印刷される予定の区画を示す図であり、（Ａ）は平面図、（Ｂ）は正面図、（Ｃ）は左側面図である。
【図３０】実施例１３における写真プリント用紙の各区画に撮影画像をはめ込んだ、実際の印刷画像が印刷された写真プリントの状態を示す図である。
【図３１】写真プリントの印刷およびシート排出方向を示す第１の模式図である。
【図３２】写真プリントの印刷およびシート排出方向を示す第２の模式図である。
【発明を実施するための形態】
【０００９】
本発明に基づいた各実施の形態における写真プリント作成装置、写真プリント作成方法、および、写真プリントについて、以下、図を参照しながら説明する。以下に説明する各実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。各実施の形態における構成を適宜組み合わせて用いることは当初から予定されていることである。
【００１０】
（写真プリント作成装置１）
図１および図２を参照して、本実施の形態における写真プリント作成装置１の概略構成について説明する。図１は、本実施の形態における写真プリント作成装置１を示す第１斜視図（正面、右側面、平面）、図２は、本実施の形態における写真プリント作成装置１を示す第２斜視図（正面、左側面、平面）である。
【００１１】
この写真プリント作成装置（写真撮影ブース付きプリント自動販売機）１は、事前接客装置（シール自動販売機用事前利用者操作機）２０１、撮影装置（シール自動販売機用撮影機）３００、画像編集装置（写真シール自動販売機用画像編集加工印刷機）４００、および、事後接客装置（シール自動販売機用事後利用者操作機）５００を備える。
【００１２】
事前接客装置２０１は、コイン投入口２１０、操作モニタ２２０、および、スピーカ２３０を有する。撮影装置３００は、撮影用カメラ３１０、操作モニタ３２０、および、照明器具３３０、３４０を有する。画像編集装置４００は、操作モニタ４１０およびタッチペン４２０を有する。事後接客装置５００は、操作モニタ５１０および写真シール受取口５２０を有する。
【００１３】
（写真プリント作成装置１の機能ブロック）
図３を参照して、本実施の形態の写真プリント作成装置１の機能ブロックについて説明する。図３は、写真プリント作成装置１の機能ブロックを示す図である。
【００１４】
写真プリント作成装置１は、写真プリント作成装置１の全体を制御するコンピュータ装置１００１と、動作中のコンピュータ装置１００１からの指示を受け付けて、接続されている各種装置を制御する制御基板１００２と、クロマキーキャプチャボード１０１７とを備える。これらは写真プリント作成装置１の制御装置１０００として機能する。制御装置１０００は撮影装置３００、または、画像編集装置４００に搭載されてもよい。
【００１５】
コンピュータ装置１００１は、ＣＰＵ（Ｃｅｎｔｒａｌ  Ｐｒｏｃｅｓｓｉｎｇ  Ｕｎｉｔ）１００３と、ＨＤＤ（Ｈａｒｄ  Ｄｉｓｋ  Ｄｒｉｖｅ）１００４と、メモリ１００５と、通信部１００６とを備える。ＣＰＵ１００３は、メモリ１００５に記憶されたプログラムを実行して、コンピュータ装置１００１を制御する。
【００１６】
制御プログラムは、コンピュータ装置１００１にインストールされることにより、ＨＤＤ１００４に格納される。メモリ１００５は、コンピュータ装置１００１のメインメモリであり、ＣＰＵ１００３により実行される制御プログラムの一時的な作業領域として用いられる。
【００１７】
本実施の形態では、ＣＰＵ１００３が制御プログラムを実行することにより、制御基板１００２が発光制御部１１００を介して、照明器具３３０、３４０の発光を制御する。
【００１８】
ＨＤＤ１００４は、写真プリント作成装置１に所定の処理を実行させるための制御プログラム、処理に必要なグラフィックデー夕、音声デー夕、生成された合成画像を示す合成画像デー夕、予め用意された複数のフレーム画像、複数のスタンプ画像等の各種画像デー夕、予め用意された複数の背景画像を示す背景画像データ、予め用意された複数のシートデザインを示すシートデザイン画像等を記憶する。
【００１９】
通信部１００６は、インターネット等のネットワークを介して図示しないサーバと通信する。
【００２０】
コンピュータ装置１００１は、事前接客装置２０１での事前接客処理を実行する。コンピュータ装置１００１は、制御プログラムを実行し、デモ映像、名前入力画面などを受付用の操作モニタ（受付用ディスプレイ）２２０に表示する。
【００２１】
スピーカ２３０は、コンピュータ装置１００１から与えられる指示信号に基づいて、案内音声、ＢＧＭなどを出力する。
【００２２】
コンピュータ装置１００１は、撮影装置３００での写真画像生成処理を実行する。コンピュータ装置１００１は、制御プログラムを実行し、必要に応じて操作モニタ（正面ディスプレイ）３２０を介して入力された利用者の操作に応じて、制御信号を制御基板１００２に送信する。
【００２３】
制御基板１００２は、撮影タイミングにおいて、発光制御部１１００により照明器具３３０、３４０を発光モードに応じて充電し発光させる。スピーカ（図示せず）は、コンピュータ装置１００１から与えられる指示信号に基づいて、撮影プレイのための操作方法などの案内、ＢＧＭなどを出力する。
【００２４】
クロマキーキャプチャボード１０１７は、撮影用カメラ３１０で撮影されている映像（被写体映像）を所定の時間間隔（たとえば３０フレーム／秒）でデジタルデータ（静止画像）として取り込む。クロマキーキャプチャボード１０１７は、取り込んだ静止画像の中からクロマキー技術により利用者（被写体）以外の領域を検知する。コンピュータ装置１００１は、利用者映像の顔部分に画像処理を施し、所定の画像サイズとなるように利用者映像をトリミングする。これにより、利用者を撮影した画像を用いた撮影画像が生成される。また、被写体以外の領域に選択された所望の背景画像を合成する。
【００２５】
コンピュータ装置１００１は、画像編集処理を実行する。コンピュータ装置１００１は制御プログラムを実行し、編集用の操作モニタ（編集用ディスプレイ）４１０およびタッチペン４２０を用いた入力操作に応じて、制御信号を制御基板１００２に送信する。コンピュータ装置１００１は、操作モニタ４１０と接続され、それらを制御する。
【００２６】
操作モニタ４１０は、タッチペン４２０等の接触を検知し、それに応じた指示信号をコンピュータ装置１００１に送信する。操作モニタ４１０は、コンピュータ装置１００１から送信された編集画像（落書き画像）を写真画像上に重ねて表示する。
【００２７】
スピーカ（図示省略）は、コンピュータ装置１００１から与えられる指示信号に基づいて、編集プレイのための操作方法などの案内、ＢＧＭなどを出力する。
【００２８】
コンピュータ装置１００１は、通信部１００６により、インターネット等のネットワークを介して図示しないサーバと通信する。写真プリント作成装置１で生成された画像を利用者の携帯端末にサーバ経由で提供可能にする。これにより、利用者は携帯端末に写真画像、合成画像を取得できる。
【００２９】
コンピュータ装置１００１は、利用者の要求に応じて生成された合成画像および印刷画像を取得するのに必要なアクセス情報（たとえばＵＲＬ）を、非接触通信装置を介して利用者の携帯端末に送信してもよい。
【００３０】
コンピュータ装置１００１は、プリンタ６００と接続され、プリンタに対して印刷指示を送信し、印刷すべき印刷画像を送信する。プリンタは、印刷すべき印刷画像の受信を完了したとき、印刷指示に応じて印刷を開始する。
【００３１】
制御基板１００２は、コンピュータ装置１００１の他に、蛍光灯、コイン制御部、およびサービスパネルに接続される。
【００３２】
（写真プリントの作成フロー）
図４を参照して、本実施の形態における写真プリント作成装置を用いた写真プリントの作成フローを説明する。図４は、本実施の形態における写真プリント作成装置１における作成方法の全体フローを示す図である。
【００３３】
写真プリント作成装置１は、プレイの開始時に事前接客装置２０１において事前接客処理として受付処理を行なう。受付処理では、写真画像の生成条件処理、背景選択処理が行なわれる（ステップＳ１０）。写真プリント作成装置１は、撮影装置３００において、利用者（プレイヤ）を被写体として複数回撮影し複数の撮影画像を生成する（ステップＳ２０）。撮影画像には、利用者の上半身が撮影された写真画像（アップ画像）、利用者の全身が撮影された写真画像（全身画像）が含まれ、いずれか一方、または、両方を撮影する。一例として、アップ画像を４回撮影し、全身画像を２回撮影する。なお、これらの回数は適宜変更され、アップ画像を３回撮影し、全身画像を３回撮影してもよい。
【００３４】
写真プリント作成装置１は、写真撮影後、画像編集装置４００において、撮影装置３００において利用者を撮影した撮影画像に、利用者が選択したフレーム画像、背景画像を合成し、その後、選択した明るさや目の大きさ等の画像処理を行ない処理画像を形成し、さらに、らくがき処理（ステップＳ３０）の受付処理を行なった後、処理画像に、画像編集装置４００で利用者が行なったらくがき処理で入力した「編集画像」を合成し、「合成画像」を生成する写真画像合成処理を行なう（ステップＳ４０）。
【００３５】
生成した合成画像を所定のレイアウトに配置した複数のレイアウトを利用者に提示してレイアウトの選択を受け付け（ステップＳ５０）、選択を受け付けたレイアウトにしたがって合成画像を配置して、シートデザイン画像に合成画像が組み込まれた印刷画像を生成する印刷画像処理を行なう（ステップＳ６０）。
【００３６】
なお、上記合成画像の中には、らくがき処理で入力した編集画像が合成されていない処理画像も含まれるものとする。以下の説明において用いる合成画像も同様である。
【００３７】
写真プリント作成装置１は、プリンタを用いて、写真プリント用紙に印刷画像を印刷し、その写真プリントを、事後接客装置５００の写真シール受取口５２０から排出する（ステップＳ７０）。さらに、写真プリント作成装置１は、サーバを介して合成画像を利用者の所有する端末に送信する。
【００３８】
ここで、写真プリント用紙に印刷する印刷画像としての合成画像を作成する場合、通常、利用者を撮影した複数の撮影画像に対して、撮影画像の後方にレイアウトされる背景画像、撮影画像の前方にレイアウトされるフレーム画像、撮影画像を元に明るさや目の大きさ、脚の長さ等の処理が施された処理画像が形成される。さらに、利用者によるらくがき等の編集画像が合成されて、合成画像（印刷画像）が作成される。なお、後述する各区画の周囲を取り囲むように設けられる装飾模様は、本実施の形態では、フレーム画像に設けられている。
【００３９】
また、本実施の形態では、撮影画像には、処理画像を含む撮影画像、および、処理画像を含まない撮影画像のいずれをも含むものとする。
【００４０】
なお、本実施の形態では、装飾画像としては、背景画像、フレーム画像、および、編集画像が含まれるが、撮影画像および処理画像以外に、他の画像を含む場合には、その画像も装飾画像に含まれる。
【００４１】
さらに、編集画像の中でも、そのまま合成する画像と、合成しない画像とが存在してもよい。たとえば、利用者の顔などに装飾する画像（リップやチークなどのメイクツール、メガネやヒゲなどの変装ツール）はそのまま合成し、背景画像やフレーム画像は、合成しない処理を行なってもよい。
【００４２】
したがって、本実施の形態においては、背景画像、フレーム画像、および、編集画像の少なくとも１つの画像を用いない場合や、少なくとも１つの画像が異なっている場合には、装飾画像が異なっているといえる。
【００４３】
［写真プリント用紙および写真プリント］
次に、図５から図３０を参照して、写真プリント作成装置１を用いて作成された実施例における印刷画像および写真プリントについて説明する。なお、以下に示す実施例１から実施例１３においては、撮影画像が印刷される区画としては、円形の区画を用いることを特徴とし、円形の区画の配列、大きさに特徴を有している。さらに、各実施例においては、写真プリント用紙に印刷される撮影画像は、全て円形の区画の内部にのみ印刷されている。
【００４４】
（実施例１）
図５および図６を参照して、実施例１における写真プリント用紙および写真プリントについて説明する。図５は、実施例１における写真プリント用紙１１Ａの印刷画像が印刷される予定の区画を示す図であり、（Ａ）は平面図、（Ｂ）は正面図、（Ｃ）は左側面図である。図６は、実施例１における写真プリント用紙１１Ａの各区画に撮影画像をはめ込んだ、実際の印刷画像が印刷された写真プリント１１の状態を示す図である。
【００４５】
本実施例では、大きい円形区画１１１と、この大きい円形区画１１１よりも半径の小さい円形区画１１２とが用いられている。一つの大きい円形区画１１１の下方に、３行２列に合計６個の小さい円形区画１１２が配置され、これを１組として、３組の画像が、横に３列に配置されている。円形区画の内部には、利用者の上半身が撮影された写真画像（アップ画像）または利用者の全身が撮影された写真画像（全身画像）が印刷されている。なお、大きい円形区画１１１の内部には、撮影画像の中から利用者が所望する撮影画像を選択したものが印刷されても良い。
【００４６】
また、各組の間には、利用者がはさみ等を用いて切り分けし易いように、細い破線を印刷しておくとよい。写真プリント用紙１１Ａの大きさは、縦約１１７ｍｍ、横約１５２ｍｍである。
【００４７】
（実施例２）
図７および図８を参照して、実施例２における写真プリント用紙および写真プリントについて説明する。図７は、実施例２における写真プリント用紙１２Ａの印刷画像が印刷される予定の区画を示す図であり、（Ａ）は平面図、（Ｂ）は正面図、（Ｃ）は左側面図である。図８は、実施例２における写真プリント用紙１２Ａの各区画に撮影画像をはめ込んだ、実際の印刷画像が印刷された写真プリント１２の状態を示す図である。
【００４８】
本実施例では、円形区画１２１が用いられている。５行２列に合計１０個の円形区画１２１が配置され、これを１組として、３組の画像が、横に３列配置されている。円形区画の内部には、利用者の上半身が撮影された写真画像（アップ画像）または利用者の全身が撮影された写真画像（全身画像）が印刷されている。また、各組の間には、利用者がはさみ等を用いて切り分けし易いように、細い破線を印刷しておくとよい。写真プリント用紙１２Ａの大きさは、縦約１１７ｍｍ、横約１５２ｍｍである。
【００４９】
（実施例３）
図９および図１０を参照して、実施例３における写真プリント用紙および写真プリントについて説明する。図９は、実施例３における写真プリント用紙１３Ａの印刷画像が印刷される予定の区画を示す図であり、（Ａ）は平面図、（Ｂ）は正面図、（Ｃ）は左側面図である。図１０は、実施例３における写真プリント用紙１３Ａの各区画に撮影画像をはめ込んだ、実際の印刷画像が印刷された写真プリント１３の状態を示す図である。
【００５０】
本実施例では、複数の円形区画１３１が用いられている。２行３列に合計６個の円形区画１３１が配置され、これを１組として、４組の画像が、２行２列に配置されている。円形区画の内部には、利用者の上半身が撮影された写真画像（アップ画像）または利用者の全身が撮影された写真画像（全身画像）が印刷されている。また、各組の間には、利用者がはさみ等を用いて切り分けし易いように、細い破線を印刷しておくとよい。写真プリント用紙１３Ａの大きさは、縦約１１７ｍｍ、横約１５２ｍｍである。
【００５１】
（実施例４）
図１１および図１２を参照して、実施例４における写真プリント用紙および写真プリントについて説明する。図１１は、実施例４における写真プリント用紙１４Ａの印刷画像が印刷される予定の区画を示す図であり、（Ａ）は平面図、（Ｂ）は正面図、（Ｃ）は左側面図である。図１２は、実施例４における写真プリント用紙１４Ａの各区画に撮影画像をはめ込んだ、実際の印刷画像が印刷された写真プリント１４の状態を示す図である。
【００５２】
本実施例では、複数の円形区画１４１が用いられている。１行７列に合計７個の円形区画１４１が配置され、これを１組として、４組の画像が、４行に配置されている。円形区画の内部には、利用者の上半身が撮影された写真画像（アップ画像）または利用者の全身が撮影された写真画像（全身画像）が印刷されている。また、各組の間には、利用者がはさみ等を用いて切り分けし易いように、細い破線を印刷しておくとよい。写真プリント用紙１４Ａの大きさは、縦約１１７ｍｍ、横約１５２ｍｍである。
【００５３】
（実施例５）
図１３および図１４を参照して、実施例５における写真プリント用紙および写真プリントについて説明する。図１３は、実施例５における写真プリント用紙１５Ａの印刷画像が印刷される予定の区画を示す図であり、（Ａ）は平面図、（Ｂ）は正面図、（Ｃ）は左側面図である。図１４は、実施例５における写真プリント用紙１５Ａの各区画に撮影画像をはめ込んだ、実際の印刷画像が印刷された写真プリント１５の状態を示す図である。
【００５４】
本実施例では、複数の円形区画１５１が用いられている。６行８列に合計４８個の円形区画１５１が配置されている。円形区画の内部には、利用者の上半身が撮影された写真画像（アップ画像）または利用者の全身が撮影された写真画像（全身画像）が印刷されている。写真プリント用紙１５Ａの大きさは、縦約１１７ｍｍ、横約１５２ｍｍである。
【００５５】
（実施例６）
図１５および図１６を参照して、実施例６における写真プリント用紙および写真プリントについて説明する。図１５は、実施例６における写真プリント用紙１６Ａの印刷画像が印刷される予定の区画を示す図であり、（Ａ）は平面図、（Ｂ）は正面図、（Ｃ）は左側面図である。図１６は、実施例６における写真プリント用紙１６Ａの各区画に撮影画像をはめ込んだ、実際の印刷画像が印刷された写真プリント１６の状態を示す図である。
【００５６】
本実施例では、大きい円形区画１６１と、この大きい円形区画１６１よりも半径の小さい円形区画１６２とが用いられている。一つの大きい円形区画１６１の横に、縦の配列された２個の小さい円形区画１６２が配置され、これを１組として、上下２組の画像が左右対称となるように配置されている。円形区画の内部には、利用者の上半身が撮影された写真画像（アップ画像）または利用者の全身が撮影された写真画像（全身画像）が印刷されている。写真プリント用紙１６Ａの大きさは、縦約１１７ｍｍ、横約７６ｍｍである。
【００５７】
（実施例７）
図１７および図１８を参照して、実施例７における写真プリント用紙および写真プリントについて説明する。図１７は、実施例７における写真プリント用紙１７Ａの印刷画像が印刷される予定の区画を示す図であり、（Ａ）は平面図、（Ｂ）は正面図、（Ｃ）は左側面図である。図１８は、実施例７における写真プリント用紙１７Ａの各区画に撮影画像をはめ込んだ、実際の印刷画像が印刷された写真プリント１７の状態を示す図である。
【００５８】
本実施例では、複数の円形区画１７１が用いられている。３行２列に合計６個の円形区画１７１が配置されている。円形区画の内部には、利用者の上半身が撮影された写真画像（アップ画像）または利用者の全身が撮影された写真画像（全身画像）が印刷されている。写真プリント用紙１７Ａの大きさは、縦約１１７ｍｍ、横約７６ｍｍである。
【００５９】
（実施例８）
図１９および図２０を参照して、実施例８における写真プリント用紙および写真プリントについて説明する。図１９は、実施例８における写真プリント用紙１８Ａの印刷画像が印刷される予定の区画を示す図であり、（Ａ）は平面図、（Ｂ）は正面図、（Ｃ）は左側面図である。図２０は、実施例８における写真プリント用紙１８Ａの各区画に撮影画像をはめ込んだ、実際の印刷画像が印刷された写真プリント１８の状態を示す図である。
【００６０】
本実施例では、複数の円形区画１８１が用いられている。２行３列に合計６個の円形区画１８１が配置され、これを１組として、２組の画像が、上下に配置されている。円形区画の内部には、利用者の上半身が撮影された写真画像（アップ画像）または利用者の全身が撮影された写真画像（全身画像）が印刷されている。写真プリント用紙１８Ａの大きさは、縦約１１７ｍｍ、横約７６ｍｍである。
【００６１】
（実施例９）
図２１および図２２を参照して、実施例９における写真プリント用紙および写真プリントについて説明する。図２１は、実施例９における写真プリント用紙１９Ａの印刷画像が印刷される予定の区画を示す図であり、（Ａ）は平面図、（Ｂ）は正面図、（Ｃ）は左側面図である。図２２は、実施例９における写真プリント用紙１９Ａの各区画に撮影画像をはめ込んだ、実際の印刷画像が印刷された写真プリント１９の状態を示す図である。
【００６２】
本実施例では、大きい円形区画１９１と、この大きい円形区画１９１よりも半径の小さい円形区画１９２とが用いられている。３行２列に配置された大きい円形区画１９１の下方に、２行３列に配置された小さい円形区画１９２を有する。円形区画の内部には、利用者の上半身が撮影された写真画像（アップ画像）または利用者の全身が撮影された写真画像（全身画像）が印刷されている。写真プリント用紙１９Ａの大きさは、縦約１５２ｍｍ、横約５８．５ｍｍである。
【００６３】
（実施例１０）
図２３および図２４を参照して、実施例１０における写真プリント用紙および写真プリントについて説明する。図２３は、実施例１０における写真プリント用紙２０Ａの印刷画像が印刷される予定の区画を示す図であり、（Ａ）は平面図、（Ｂ）は正面図、（Ｃ）は左側面図である。図２４は、実施例１０における写真プリント用紙２０Ａの各区画に撮影画像をはめ込んだ、実際の印刷画像が印刷された写真プリント２０の状態を示す図である。
【００６４】
本実施例では、複数の円形区画２０１が用いられている。７行３列に合計２１個の円形区画２０１が配置されている。円形区画の内部には、利用者の上半身が撮影された写真画像（アップ画像）または利用者の全身が撮影された写真画像（全身画像）が印刷されている。写真プリント用紙２０Ａの大きさは、縦約１５２ｍｍ、横約５８．５ｍｍである。
【００６５】
（実施例１１）
図２５および図２６を参照して、実施例１１における写真プリント用紙および写真プリントについて説明する。図２５は、実施例１１における写真プリント用紙２１Ａの印刷画像が印刷される予定の区画を示す図であり、（Ａ）は平面図、（Ｂ）は正面図、（Ｃ）は左側面図である。図２６は、実施例１１における写真プリント用紙２１Ａの各区画に撮影画像をはめ込んだ、実際の印刷画像が印刷された写真プリント２１の状態を示す図である。
【００６６】
本実施例では、複数の円形区画２１１が用いられている。上下の斜めにずれて配置された２の円形区画２１１が、これを１組として３列配置されている。円形区画の内部には、利用者の上半身が撮影された写真画像（アップ画像）または利用者の全身が撮影された写真画像（全身画像）が印刷されている。写真プリント用紙２１Ａの大きさは、縦約５８．５ｍｍ、横約１５２ｍｍである。
【００６７】
（実施例１２）
図２７および図２８を参照して、実施例１２における写真プリント用紙および写真プリントについて説明する。図２７は、実施例１２における写真プリント用紙２２Ａの印刷画像が印刷される予定の区画を示す図であり、（Ａ）は平面図、（Ｂ）は正面図、（Ｃ）は左側面図である。図２８は、実施例１２における写真プリント用紙２２Ａの各区画に撮影画像をはめ込んだ、実際の印刷画像が印刷された写真プリント２２の状態を示す図である。
【００６８】
本実施例では、複数の円形区画２２１が用いられている。２行６列に合計１２個の円形区画２２１が配置されている。円形区画の内部には、利用者の上半身が撮影された写真画像（アップ画像）または利用者の全身が撮影された写真画像（全身画像）が印刷されている。写真プリント用紙２２Ａの大きさは、縦約５８．５ｍｍ、横約１５２ｍｍである。
【００６９】
（実施例１３）
図２９および図３０を参照して、実施例１３における写真プリント用紙および写真プリントについて説明する。図２９は、実施例１３における写真プリント用紙２３Ａの印刷画像が印刷される予定の区画を示す図であり、（Ａ）は平面図、（Ｂ）は正面図、（Ｃ）は左側面図である。図３０は、実施例１３における写真プリント用紙２３Ａの各区画に撮影画像をはめ込んだ、実際の印刷画像が印刷された写真プリント２３の状態を示す図である。
【００７０】
本実施例では、複数の円形区画２３１が用いられている。２行３列に合計６個の円形区画２３１が配置されている。円形区画の内部には、利用者の上半身が撮影された写真画像（アップ画像）または利用者の全身が撮影された写真画像（全身画像）が印刷されている。写真プリント用紙２３Ａの大きさは、縦約７６ｍｍ、横約１１７ｍｍである。
【００７１】
［写真プリントの印刷およびシート排出方向］
図３１および図３２を参照して、上述した写真プリント１１から２３の写真プリントの印刷およびシート排出方向について説明する。図３１および図３２は、写真プリントの印刷およびシート排出方向を示す第１および第２の模式図である。
【００７２】
図３１を参照して、一般的に写真プリント作成装置１内には、写真プリント用紙のロール紙が備えられており、印刷の際には、一定の長さが送られ、写真プリント作成装置１内のプリンタ６００で印刷され、その後、カッタで切り取られて写真シール受取口５２０から排出される。
【００７３】
ロール紙の幅方向の長さＬ１は、一般的には１５２ｍｍのものが用いられる。実施例１から実施例５の写真プリント用紙１１Ａから１５Ａの大きさは、縦約１１７ｍｍ、横約１５２ｍｍ（Ｌ１）であるから、約１１７ｍｍ（Ｗ１）の長さの用紙が送り出されてカッタで切り取られる。
【００７４】
実施例６から実施例８の写真プリント用紙１６Ａから１８Ａの大きさは、縦約１１７ｍｍ、横約５８．５ｍｍであり、実施例１３の写真プリント用紙２３Ａの大きさは、縦約５８．５ｍｍ、横約１１７ｍｍであることから、印刷方向は異なるが、約１１７ｍｍ（Ｗ１）の長さの用紙が送り出され、用紙の上下に同じ印刷画像が印刷された後カッタで切り取られ、さらに上下に分割される大きさとなる。
【００７５】
図３２を参照して、実施例９および実施例１０の写真プリント用紙１９Ａおよび２０Ａの大きさは、縦約１５２ｍｍ、横約５８．５ｍｍであり、実施例１１および実施例１２の写真プリント用紙２１Ａおよび２２Ａの大きさは、縦約５８．５ｍｍ、横約１５２ｍｍであることから、印刷方向は異なるが、約１１７ｍｍ（Ｗ１）の長さの用紙が送り出され、送り出し方向に同じ印刷画像が印刷された後、カッタで５８．５ｍｍの長さ（Ｗ２）が切り取られ左右に分割される大きさとなる。
【００７６】
このように本実施の形態および実施例においては、より需要者（利用者）の注意を惹きつけるデザインを有する写真プリント、写真プリントの製造装置、および、写真プリント作成方法を提供することを可能にしている。
【００７７】
なお、上記各実施の形態における写真プリントにおいて、底面図には何も印刷されないため図示は省略している。また、背面図は正面図と同一にあらわれ、右側面図は左側面図と同一にあらわれるため、図示は省略する。
【００７８】
以上、本発明の実施の形態および各実施例における写真プリントについて説明したが、今回開示された実施の形態は全ての点で例示であって制限的なものではないと考えられるべきである。したがって、本発明の範囲は特許請求の範囲によって示され、特許請求の範囲と均等の意味および範囲内での全ての変更が含まれることが意図される。
【符号の説明】
【００７９】
１  写真プリント作成装置、１１Ａ，１２Ａ，１３Ａ，１４Ａ，１５Ａ，１６Ａ，１７Ａ，１８Ａ，１９Ａ，２０Ａ，２１Ａ，２２Ａ  写真プリント用紙、１１，１２，１３，１４，１５，１６，１７，１８，１９，２０，２１，２２  写真プリント用紙、１１１，１６１，１９１  大きい円形区画、１１２，１６２，１９２  小さい円形区画、１２１，１３１，１４１，１５１，１７１，１８１，２０１，２１１，２２１，２３１  円形区画、２０１  事前接客装置（シール自動販売機用事前利用者操作機）、２１０  コイン投入口、２２０  操作モニタ、２３０  スピーカ、３００  撮影装置（シール自動販売機用撮影機）、３１０  撮影用カメラ、３２０  操作モニタ、３３０，３４０  照明器具、４００  画像編集装置（写真シール自動販売機用画像編集加工印刷機）、４１０  操作モニタ、４２０  タッチペン、５００  事後接客装置（シール自動販売機用事後利用者操作機）、５１０  操作モニタ、５２０  写真シール受取口、６００  プリンタ、１０００  制御装置、１００１  コンピュータ装置、１００２  制御基板、１００３  ＣＰＵ、１００４  ＨＤＤ、１００５  メモリ、１００６  通信部、１０１７  クロマキーキャプチャボード、１１００  発光制御部。
【図１】
2016058954.tif 000003
【図２】
2016058954.tif 000004
【図３】
2016058954.tif 000005
【図４】
2016058954.tif 000006
【図５】
2016058954.tif 000007
【図７】
2016058954.tif 000008
【図９】
2016058954.tif 000009
【図１１】
2016058954.tif 000010
【図１３】
2016058954.tif 000011
【図１５】
2016058954.tif 000012
【図１７】
2016058954.tif 000013
【図１９】
2016058954.tif 000014
【図２１】
2016058954.tif 000015
【図２３】
2016058954.tif 000016
【図２５】
2016058954.tif 000017
【図２７】
2016058954.tif 000018
【図２９】
2016058954.tif 000019
【図３１】
2016058954.tif 000020
【図３２】
2016058954.tif 000021
【図６】
2016058954.tif 000022
【図８】
2016058954.tif 000023
【図１０】
2016058954.tif 000024
【図１２】
2016058954.tif 000025
【図１４】
2016058954.tif 000026
【図１６】
2016058954.tif 000027
【図１８】
2016058954.tif 000028
【図２０】
2016058954.tif 000029
【図２２】
2016058954.tif 000030
【図２４】
2016058954.tif 000031
【図２６】
2016058954.tif 000032
【図２８】
2016058954.tif 000033
【図３０】
2016058954.tif 000034